(57)【要約】      （修正有）【課題】簡易型の回動収納式テーブルでありながらも、安全性が高く、テーブル本体を使用位置から不使用位置に移動した際に手を挟むことを防止できる、椅子の背凭れ部の背面等に取り付けられる回動収納式テーブルを提供する。【解決手段】回動収納式テーブル１０において、テーブル本体１１とステー５１とは接続されておらず、テーブル本体１１を使用位置から不使用位置に回動すると、その回動に付随して、ステー５１は、テーブル本体１１を支持する傾斜状態からテーブル本体１１の回動力とは無関係のコイルスプリングの付勢力により、スライドレール１２下側のスライド面１７を上面５２が摺動しながら回動し、この際、ステー５１の側面板５４は、支持板６２及びスライドレール１２の外側を覆うようにブラケット６０及びテーブル本体１１と係合する。【選択図】図６
2014104117.tif 000002
【特許請求の範囲】
【請求項１】
被装着体の背面に取り付けられ、
平板状に形成されるテーブル本体と、
前記テーブル本体を、水平方向に延在させて使用する使用位置と、前記被装着体の背面に略平行に近接し上下方向に延在させて収納する不使用位置と、の間で回動可能に支持する支持部材と、
を備えた回動収納式テーブルにおいて、
前記支持部材は、前記テーブル本体が使用位置にある状態で、前記テーブル本体の下面にその上面が当接することにより該テーブル本体を支持するステーを有し、
該ステーは、前記テーブル本体とは非接続であって、前記テーブル本体の回動に付随して、前記上面が該テーブル本体の下面を離反可能に摺動しながら回動し得ることを特徴とする回動収納式テーブル。
【請求項２】
前記支持部材は、前記テーブル本体を軸Ａにて回動可能に支持しながら前記被装着体の背面に固着するブラケットを有し、
前記ステーは、前記ブラケットに前記軸Ａより下に位置する軸Ｂにて回動可能に支持され、前記テーブル本体が使用位置のときは、前記軸Ｂより上部が前記ブラケットから離反して全体が後方側に傾斜した姿勢の第１傾斜状態と、前記テーブル本体が不使用位置のときは、全体が前記ブラケットに近接して該テーブル本体と略平行な姿勢の第２直立状態との間を回動すること、
を特徴とする請求項１に記載の回動収納式テーブル。
【請求項３】
前記ステーは、前記第１傾斜状態になるときは、前記テーブル本体の回動に付随して、その下端部が前記ブラケットまたは前記被装着体の背面に当接するまで回動することを特徴とする請求項２に記載の回動収納式テーブル。
【請求項４】
前記ステーは、前記下端部に、前記ブラケットまたは前記被装着体の背面側に進退自在に設けられ、前記第１傾斜状態における該ステーの傾斜角度を調整可能な傾斜角度調整手段を備えていることを特徴とする請求項３に記載の回動収納式テーブル。
【請求項５】
前記ブラケットには、前記ステーが前記第２直立状態から前記第１傾斜状態側へ回動したとき、前記ステーと係合して該ステーを前記第２直立状態に戻すように付勢する付勢部材が取り付けられ、
前記付勢部材の付勢力は、前記テーブル本体の自重による前記不使用位置から前記使用位置への回動力に比して小さく設定されていることを特徴とする請求項２乃至請求項４の何れか１項に記載の回動収納式テーブル。
【請求項６】
前記ステーは、ステー本体と、前記ステー本体から前記ブラケット側に延出する側面板とを有し、
前記側面板は、側面視したときの前記ステー本体、前記ブラケット及び前記テーブル本体を３辺とする三角状の空間を覆うように、該ブラケット及び該テーブル本体と係合することを特徴とする請求項２乃至請求項５の何れか１項に記載の回動収納式テーブル。
【請求項７】
前記支持部材は、前記テーブル本体の両側に対称状に一対設けられ、
前記テーブル本体の両側にはレール部材が対称状に一対付設され、
前記軸Ａには回動自在に回動軸受が支持され、
前記レール部材の内部空間には前記回動軸受が遊嵌され、
前記テーブル本体は、前記回動軸受に連動して回動すると共に、該回動軸受に対してスライド可能になっていることを特徴とする請求項２乃至請求項６の何れか１項に記載の回動収納式テーブル。
【請求項８】
前記レール部材は、金属材で形成され、その底面は、前記ステーの前記上面が摺動する平面状のスライド面として、該レール部材と一体的に形成されていることを特徴とする請求項７に記載の回動収納式テーブル。
【請求項９】
前記ブラケット内面の前記軸Ａの周囲には樹脂材で形成されたスペーサーが付設され、
前記レール部材及び／または前記回動軸受は、前記スペーサーと接触していることを特徴とする請求項７または請求項８に記載の回動収納式テーブル。
【請求項１０】
前記レール部材には、前記回動軸受を挟むように該レール部材の所定位置にゴムや樹脂等の緩衝材からなるストッパー部材が設けられ、
前記テーブル本体がスライドする場合には、前記ストッパー部材が前記回動軸受と衝突することにより該スライドの移動範囲が規制されることを特徴とする請求項７乃至請求項９の何れか１項に記載の回動収納式テーブル。
【発明の詳細な説明】
【技術分野】
【０００１】
本発明は、講堂やホールで使用される椅子の背凭れ部の背面等に取り付けられる回動収納式テーブルに関する。
【背景技術】
【０００２】
従来より、椅子の背凭れ部の背面等に取り付けられる回動収納式テーブルは、略水平な使用位置にあるテーブル本体を回動して略直立した不使用位置に収納するように構成されている。これは、椅子への着席者が椅子の列と列の間を通り抜ける際に邪魔にならないようにするためであり、従って、回動収納式テーブルを不使用位置に収納している状態では、後方側へのテーブル本体やテーブル取付機構等の出っ張りを極力少なくすることが課題となっている。
【０００３】
回動収納式テーブルには、大別すると、テーブル本体の側部や背面等を箱で覆う箱型の回動収納式テーブルと、テーブル本体の側部や背面等を覆うことのない安価な簡易型の回動収納式テーブルがある。簡易型の回動収納式テーブルは、箱型の回動収納式テーブルに比して、テーブル本体の側部や背面等を覆う箱がないので、その分後方側への出っ張りを少なくしてテーブル本体の収納スペースをコンパクトにすることができるものの、その一方で安全面に問題があった。以下、この点について説明する。
【０００４】
簡易型の回動収納式テーブルは、特許文献１〜３に示すような技術（以下、従来技術１ともいう）が知られている。この従来技術１において、テーブル本体は、椅子背面の左右両側に配置された二本の支持部材に対して、略水平な使用位置から略直立した不使用位置まで上下方向に回動可能に、テーブル本体の前端（テーブル本体が使用位置にある場合、着席者から見て奥端）両側が支持されている。そして、テーブル本体と支持部材とは、平板状の金属等からなるステーにより連結されており、このステーは、テーブル本体の回動に付随して上下方向に回動するよう、テーブル本体及び支持部材に支持されている。
【０００５】
つまりステーは、テーブル本体が使用位置にある場合には、テーブル本体の略水平状態を維持できるように該テーブル本体を支持しており、この場合、ステーは、支持部材に接続された一端側から斜め後側上方のテーブル本体に接続された他端側に向かって傾斜姿勢で延在する第１傾斜状態になっている（例えば、特許文献２の図３参照）。
【０００６】
そして、この略水平な使用位置にあるテーブル本体を回動して略直立状態に椅子背面側に平行に近接させることで、テーブル本体は不使用位置に収納されるようになっており、この場合、ステーは、支持部材に接続された一端側から略鉛直上方のテーブル本体に接続された他端側に向かって該テーブル本体と略平行な直立姿勢で延在する第２直立状態になっている（例えば、特許文献２の図８参照）。即ち、ステーは、テーブル本体が使用位置から不使用位置に移動するのに伴って、傾斜姿勢の第１傾斜状態から直立姿勢の第２直立状態に移動するようになっている。
【先行技術文献】
【特許文献】
【０００７】
【特許文献１】特開２００１−３７５４８号公報
【特許文献２】特開２００１−２０６１２６号公報
【特許文献３】特開平９−１３５７２９号公報
【発明の概要】
【発明が解決しようとする課題】
【０００８】
しかして、従来技術１において、テーブル本体が使用位置にある場合には、ステーと、該ステーが接続されているテーブル本体及び支持部材の間には、側面視するとテーブル本体及び支持部材を略直交する２辺、ステーを斜辺とする略直角三角形状の空間が形成されることになり、この空間は、テーブル本体を使用位置から不使用位置に移動すると、それに伴って消滅するようになっている。
【０００９】
従って、このように構成される従来技術１では、テーブル本体を使用位置から不使用位置に移動するとき、使用者や他人の手が誤って上記空間にあると、その手をステーとテーブル本体及び支持部材の間に挟み込んで怪我をするおそれがあった。
【００１０】
即ち、簡易型の回動収納式テーブルは、箱型の回動収納式テーブルに比して、後方側への出っ張りを少なくすることができるものの、回動収納機構を構成するステー等が露出しているので、テーブル本体を移動するとき、これらの露出している回動収納機構で手を挟み易く、これにより安全性が低下してしまうという問題点があった。
【００１１】
本発明は、上記したような問題点に鑑みなされたもので、その目的とするところは、簡易型の回動収納式テーブルでありながらも、安全性が高く、テーブル本体を使用位置から不使用位置に移動した際に手を挟むことを防止できる、椅子の背凭れ部の背面等に取り付けられる回動収納式テーブルを提供することにある。
【課題を解決するための手段】
【００１２】
このような問題を解決するために、本発明の回動収納式テーブルは、被装着体（椅子１）の背面（背面板７）に取り付けられ、平板状に形成されるテーブル本体（テーブル本体１１）と、前記テーブル本体を、水平方向に延在させて使用する使用位置と、前記被装着体の背面に略平行に近接し上下方向に延在させて収納する不使用位置と、の間で回動可能に支持する支持部材（支持部材５０）と、を備えた回動収納式テーブル（回動収納式テーブル１０）において、前記支持部材は、前記テーブル本体が使用位置にある状態で、前記テーブル本体の下面（スライド面１７）にその上面（上面５２）が当接することにより該テーブル本体を支持するステー（ステー５１）を有し、該ステーは、前記テーブル本体とは非接続であって、前記テーブル本体の回動に付随して、前記上面が該テーブル本体の下面を離反可能に摺動しながら回動し得ることを要旨とする。
【００１３】
従って、このように構成される本発明においては、テーブル本体を使用位置から不使用位置に回動するとき、仮にテーブル本体とステーとが当接している摺動面付近に手があったとしても、テーブル本体とは非接続のステーの回動は停止され、テーブル本体のみが単独で回動するだけなので、即ちこのような場合には、ステーはテーブル本体と離反可能で、テーブル本体の回動とステーの回動とは連動しないので、その結果、手をステーとテーブル本体の間に挟み込んで怪我をするおそれがない。
【００１４】
即ち、本発明の回動収納式テーブルは、テーブル本体の側部や背面等を覆うことのない、回動収納機構を構成するステー等が露出した簡易型でありながらも、極めて安全性が高く、テーブル本体を使用位置から不使用位置に移動する際、手を挟んで怪我をしてしまうことを防止できるという顕著な効果を奏する。
【００１５】
ここで、支持部材の具体的な構成としては、次のようにするとよい。即ち請求項２に記載の発明は、請求項１に記載の回動収納式テーブルにおいて、前記支持部材は、前記テーブル本体を軸Ａ（ボス６５）にて回動可能に支持しながら前記被装着体の背面に固着するブラケット（ブラケット６０）を有し、前記ステーは、前記ブラケットに前記軸Ａより下に位置する軸Ｂ（ネジ５６）にて回動可能に支持され、前記テーブル本体が使用位置のときは、前記軸Ｂより上部が前記ブラケットから離反して全体が後方側に傾斜した姿勢の第１傾斜状態と、前記テーブル本体が不使用位置のときは、全体が前記ブラケットに近接して該テーブル本体と略平行な姿勢の第２直立状態との間を回動することを要旨とする。
【００１６】
従って、このように構成される本発明においては、ステーは、テーブル本体と非接続でありながらも、テーブル本体の回動に付随して、その上面がテーブル本体の下面を摺動しながら回動することを簡単な構成で実現することが可能になる。
【００１７】
また、ステーを第１傾斜状態に保持してテーブル本体を支える構成は、次のようにするとよい。即ち請求項３に記載の発明は、請求項２に記載の回動収納式テーブルにおいて、前記ステーは、前記第１傾斜状態になるときは、前記テーブル本体の回動に付随して、その下端部（下端５８）が前記ブラケットまたは前記被装着体の背面に当接するまで回動することを要旨とする。
【００１８】
従って、このように構成される本発明においては、ステーの下端部は、テーブル本体が使用位置でステーが第１傾斜状態になるとき、ブラケットまたは被装着体の背面に当接してテーブル本体の回動を規制する。即ちステーは、テーブル本体の水平姿勢を保持するための回動規制手段としての機能も有しており、この機能により、テーブル本体は、不使用位置から水平姿勢の使用位置までの間だけ回動することが可能となる。その結果、別途、回動規制手段を設ける必要がなく、部品点数を減らして回動収納式テーブルの構成を簡素化することが可能となり、コストダウンとなる。
【００１９】
更に、ステーには、次のような機能も追加するようにするとよい。即ち請求項４に記載の発明は、請求項３に記載の回動収納式テーブルにおいて、前記ステーは、前記下端部に、前記ブラケットまたは前記被装着体の背面側に進退自在に設けられ、前記第１傾斜状態における該ステーの傾斜角度を調整可能な傾斜角度調整手段（ネジ５９）を備えていることを要旨とする。
【００２０】
従って、このように構成される本発明においては、傾斜角度調整手段のステーからの突出量を調整することで、テーブル本体が水平姿勢の使用位置でステーが第１傾斜状態のときの該ステーの傾斜角度を変更することができる。即ちステーは、使用位置におけるテーブル本体の水平姿勢を調整する機能も有しており、この機能により、テーブル本体を使用位置において正確に水平姿勢に調整することができると共に、例えば、複数の隣接するテーブル本体の使用位置における水平姿勢を容易に統一することが可能となり、その結果、美観を保つことができる。
【００２１】
ここで、テーブル本体とステーとが非接続の状態で、テーブル本体の回動に付随してステーを回動させる構成としては、次のようにするとよい。即ち請求項５に記載の発明は、請求項２乃至請求項４の何れか１項に記載の回動収納式テーブルにおいて、前記ブラケットには、前記ステーが前記第２直立状態から前記第１傾斜状態側へ回動したとき、前記ステーと係合して該ステーを前記第２直立状態に戻すように付勢する付勢部材（コイルスプリング５７）が取り付けられ、前記付勢部材の付勢力は、前記テーブル本体の自重による前記不使用位置から前記使用位置への回動力に比して小さく設定されていることを要旨とする。
【００２２】
従って、このように構成される本発明においては、テーブル本体を不使用位置から使用位置へ回動するときは、付勢部材の付勢力がこのテーブル本体の回動動作を阻害することなく、ステーは、テーブル本体の重力によりその回動に付随して該テーブル本体の下面を摺動しながら第２直立状態から第１傾斜状態に回動する。一方、テーブル本体を使用位置から不使用位置へ回動するときは、付勢部材の付勢力により、ステーは、テーブル本体の回動に付随して該テーブル本体の下面を摺動しながら第１傾斜状態から第２直立状態に回動する。これにより、テーブル本体とステーとが非接続であっても、テーブル本体の回動に付随してステーを容易に回動させることができ、その結果、簡単な構成でありながらも、安全性の高い回動収納式テーブルを実現することが可能となる。
【００２３】
また、請求項６に記載の発明は、請求項２乃至請求項５の何れか１項に記載の回動収納式テーブルにおいて、前記ステーは、ステー本体と、前記ステー本体から前記ブラケット側に延出する側面板（側面板５４）とを有し、前記側面板は、側面視したときの前記ステー本体、前記ブラケット及び前記テーブル本体を３辺とする三角状の空間を覆うように、該ブラケット及び該テーブル本体と係合することを要旨とする。
【００２４】
従って、このように構成される本発明においては、テーブル本体が使用位置にあってステー５１が第１傾斜状態になっている場合であっても、即ち回動収納式テーブルが何れの状態であっても、従来のような側面視したときのステー本体、前記ブラケット及び前記テーブル本体を３辺とする三角状の手挟み空間は形成されることがなく、その結果、更に回動収納式テーブルにおける手挟みを防止して安全性を高めることができる。
【００２５】
また、請求項７に記載の発明は、請求項２乃至請求項６の何れか１項に記載の回動収納式テーブルにおいて、前記支持部材は、前記テーブル本体の両側に対称状に一対設けられ、前記テーブル本体の両側にはレール部材（スライドレール１２）が対称状に一対付設され、前記軸Ａには回動自在に回動軸受（回動軸受７０）が支持され、前記レール部材の内部空間（空間領域１８）には前記回動軸受が遊嵌され、前記テーブル本体は、前記回動軸受に連動して回動すると共に、該回動軸受に対してスライド可能になっていることを要旨とする。
【００２６】
従って、このように構成される本発明においては、テーブル本体は、使用位置と不使用位置との間で回動軸受に連動して回動できると共に、不使用位置の状態で回動軸受に対して被装着体の背面と略平行の上下方向にスライドでき、その結果、不使用位置におけるテーブル本体の収納高さを低くしてコンパクトにすることが可能となる。
【００２７】
ここで、レール部材は、次のように構成するとよい。即ち請求項８に記載の発明は、請求項７に記載の回動収納式テーブルにおいて、前記レール部材は、金属材で形成され、その底面は、前記ステーの前記上面が摺動する平面状のスライド面（スライド面１７）として、該レール部材と一体的に形成されていることを要旨とする。
【００２８】
従って、このように構成される本発明においては、ステーの上面が摺動するスライド面をレール部材に一体的に形成したので、その結果、回動収納式テーブルの部品点数を減らすことができ、構成を簡素化してコストダウンとなる。なお、スライド面は、その表面が滑らかで摩擦抵抗が少なくなるよう、バフ等の適宜表面加工を施すとよい。
【００２９】
また、請求項９に記載の発明は、請求項７または請求項８に記載の回動収納式テーブルにおいて、前記ブラケット内面の前記軸Ａの周囲には樹脂材で形成されたスペーサー（スペーサー６６）が付設され、前記レール部材及び／または前記回動軸受は、前記スペーサーと接触していることを要旨とする。
【００３０】
従って、このように構成される本発明においては、テーブル本体とブラケットとの隙間が無くなるので、その結果、テーブル本体の横幅を限られた領域内で極力大きく形成することができると共に、テーブル本体の横方向のガタツキを抑制することができる。また、テーブル本体が上下方向にスライドする際、スペーサーによりスムーズに移動することが可能となる。
【００３１】
また、テーブル本体のスライドの移動範囲を規制するには、次のようにするとよい。即ち請求項１０に記載の発明は、請求項７乃至請求項９の何れか１項に記載の回動収納式テーブルにおいて、前記レール部材には、前記回動軸受を挟むように該レール部材の所定位置にゴムや樹脂等の緩衝材からなるストッパー部材（ストッパー２０、２１）が設けられ、前記テーブル本体がスライドする場合には、前記ストッパー部材が前記回動軸受と衝突することにより該スライドの移動範囲が規制されることを要旨とする。
【００３２】
従って、このように構成される本発明においては、ストッパー部材は、テーブル本体のスライドの移動範囲を規制する機能と、テーブル本体のスライドを停止するときの衝撃を緩衝する機能とを有している。その結果、ストッパー部材の間だけをスライド可能にしてテーブル本体の移動範囲を規制することができると共に、特に下方向へテーブル本体をスライドしたときのストッパー部材と回動軸受との衝突の際の衝撃を緩衝し、衝突音等を低減することもできる。更に、レール部材におけるストッパー部材の位置を適宜変更することにより、不使用位置におけるテーブル本体の収納高さを所望の高さに容易に変更することが可能で、極めて使い勝手がよくなり、好適となる。
【００３３】
因みに、上記括弧内の名称及び符号は、後述する実施形態に記載の具体的手段等との主な対応関係を示す一例であり、本発明（請求項１乃至請求項１０）は、上記括弧内の名称及び符号に示された具体的手段等に限定されるものではない。
【図面の簡単な説明】
【００３４】
【図１】本実施形態に係わる回動収納式テーブル１０が椅子１に取り付けられたときの椅子１の背面図である。
【図２】本実施形態に係わる図１に示した椅子１の側面図である。
【図３】本実施形態に係わる回動収納式テーブル１０の分解斜視図である。
【図４】本実施形態に係わる図３におけるスライドレール１２のＡ−Ａ断面図である。
【図５】本実施形態に係わる回動収納式テーブル１０を組立てたときの、テーブル本体１１と支持部材５０との位置関係を説明するための説明図である。
【図６】本実施形態に係わる回動収納式テーブル１０の状態をそれぞれ異なる段階で示す説明図である。
【図７】本実施形態に係わる背面板７の後方への傾斜角度に合わせて、回動収納式テーブル１０の使用位置におけるテーブル本体１１の水平姿勢の調節機能を説明するための説明図である。
【発明を実施するための形態】
【００３５】
以下に、本発明を実施するための形態を図と共に説明する。図１は、本発明の回動収納式テーブル１０が、一実施例として椅子１に取り付けられたときの椅子１の背面図であり、図２は、図１に示した椅子１の側面図である。図１において、左側の椅子１は、回動収納式テーブル１０が不使用位置のときの状態を示し（図２（Ａ）も併せて参照）、右側の椅子１は、回動収納式テーブル１０が使用位置のときの状態を示している（図２（Ｂ）も併せて参照）。
【００３６】
図１、２に示すように、椅子１は、床面に対して横方向に並んで立設された３つの脚体４と、各脚体４の間に配設され、人が着座するための座部５と、各脚体４の間に固設され、座部５に着座した人が背を凭れるための背凭れ６と、背凭れ６の背面に付設された平板状の背面板７とにより構成されている。
【００３７】
回動収納式テーブル１０は、背面板７の背面に取り付けられるようになっており、回動収納式テーブル１０が不使用位置のときは、図２（Ａ）に示すように、後述のテーブル本体１１が所定角度で後方に傾斜した背面板７と略平行に収納され、回動収納式テーブル１０が使用位置のときは、図２（Ｂ）に示すように、テーブル本体１１が略水平に延在するようになっている。これらの回動収納式テーブル１０は、当該回動収納式テーブル１０の後方に配置される椅子１に着座する人が使用するためのものである。なお、テーブル本体１１は、図２（Ｂ）の矢印Ａに示すように、上方に回動後、背面板７に略平行に下方にスライドさせることにより、使用位置から不使用位置へと収納する。また、図１、２では、椅子１は二脚例示したが、この数は限定されるものではない。
【００３８】
＜回動収納式テーブル１０の構成＞
次に、本発明の回動収納式テーブル１０の構成について説明する。図３は、回動収納式テーブル１０の分解斜視図である。なお、本図において、背面板７は、垂直状のものを示している。回動収納式テーブル１０は、大別すると、テーブル本体１１と、このテーブル本体１１を上下方向に回動可能に支持する支持部材５０とからなっている。
【００３９】
テーブル本体１１は、木材や樹脂材等で矩形の平板状に形成されるテーブル８を備え、このテーブル８の左右両端には金属製のスライドレール１２が取り付けられている。スライドレール１２は、テーブル本体１１を収納または使用する過程で上下方向に直線移動させるための部材であって、図４に示すように、縦断面略コの字状に形成され、水平状に延在する底板１３と、底板１３の略中央から上方に垂直状に立設された縦板１４と、縦板１４の上端から外側に底板１３と同じ長さだけ水平状に延在する上板１５と、底板１３及び上板１５から上下内側に向かって互いに対向するように突出する突起部１６とからなっている。
【００４０】
また、底板１３の下面は、支持部材５０を構成する後述のステー５１の上面５２が摺動するスライド面１７となっている。つまり、スライドレール１２は、テーブル本体１１を直線移動させる機能と共に、ステー５１をスムーズに摺動させる機能を有している。従って、スライド面１７は、その表面が滑らかで摩擦抵抗が少なくなるよう、バフ等の適宜表面加工を施すとよい。なお、図４は、図３におけるスライドレール１２のＡ−Ａ断面図である。
【００４１】
図中１８は、底板１３、縦板１４、上板１５及び突起部１６で略囲まれる外側開放状のスライドレール１２内部の空間領域であり、この空間領域１８には、後述の回動軸受７０が遊嵌されるようになっている。また、図３に示すように、スライドレール１２の前端（テーブル本体１１が使用位置にある場合、前端とは着席者から見て奥端、後端とは着席者から見て手前端、以下の説明ではこれに準ずる）及び後端には、ゴムや樹脂等からなるストッパー２０、２１が取り付けられ、空間領域１８の前後両端を閉塞するようになっている。
【００４２】
ストッパー２０は、略コの字状に形成され、スライドレール１２（空間領域１８）の前端を蓋部２２で閉塞しつつ、上板２３及び底板２４でテーブル８及びスライドレール１２を挟み込むようにして、下側からのネジ２５にてテーブル８に固定されている。
【００４３】
ストッパー２１は、略Ｔ字状に形成され、胴体部２６が突起部１６を挟み込むように空間領域１８に嵌着され、蓋部２７でスライドレール１２（空間領域１８）の後端を閉塞するようになっている。また、胴体部２６には取付穴２８が貫通穿設されており、ストッパー２１は、この取付穴２８を介して側方向からのネジ２９にてテーブル８に固定されている。これらのストッパー２０、２１は、後述の回動軸受７０と係合してスライドレール１２、延いてはテーブル本体１１の移動を規制する部材である。
【００４４】
また、スライドレール１２には、図３に示すように、３つの取付穴３０ａ、３０ｂ、３０ｃが穿設されており、スライドレール１２は、これら３つの取付穴３０ａ、３０ｂ、３０ｃを介して側方向からのネジ２９、３１にてテーブル８に固定されている。なお、取付穴３０ａは、上記したストッパー２１の取付穴２８と重合するように設けられ、ネジ２９は、取付穴２８、３０ａを介してスライドレール１２及びストッパー２１をテーブル８に対して共締めするようになっている。
【００４５】
図中９は、テーブル本体１１を使用位置から不使用位置へ、または不使用位置から使用位置へ移動させるときに、人が指で摘まむ円柱状に形成された摘まみであり、この摘まみ９は、図３において、テーブル８後端の略中央下面側から下方に突出するように設けられている（図１、２も併せて参照）。
【００４６】
次に、支持部材５０について説明する。支持部材５０は、テーブル本体１１を回動可能に支持して背面板７に固着する金属製のブラケット６０を備えており、このブラケット６０は、図３に示すように、略Ｌ字状に形成され、背面板７の左右両端の略中央に固着するための固着板６１と、この固着板６１の外側端から該固着板６１と直交して後方側に突出し、テーブル本体１１及び後述のステー５１を回動可能に支持する支持板６２とからなっている。
【００４７】
固着板６１の上下には取付穴６３ａ、６３ｂが穿設されており、ブラケット６０は、この取付穴６３ａ、６３ｂを介してネジ６４にて背面板７に固着されている。また、支持板６２は、その上部に、内側に位置するテーブル本体１１に向かって水平状のボス６５が突設されており、ボス６５には、スペーサー６６が取付穴６７を介して挿入されている。このスペーサー６６は、支持板６２内側の略上半分を覆うように該支持板６２に貼着されている。また、支持板６２の後端寄りの略中央には、後述のステー５１を回動自在に取り付けるためのボス状の取付穴７４が形成されている。
【００４８】
図中７０は、樹脂材からなる回動軸受であり、この回動軸受７０は、図３、５に示すように、内側に位置する嵌合部７２と、この嵌合部７２の外側に位置する突出部７３とで略凸状に形成され、嵌合部７２及び突出部７３に貫通穿設された取付穴７１を介してボス６５に回動自在に挿通されている。なお、図５は、回動収納式テーブル１０を組立てたときの、テーブル本体１１と支持部材５０との位置関係を説明するための説明図であり、本図においては、テーブル本体１１は背面板７と略平行の不使用位置のときを示しており、この状態では、テーブル本体１１は背面板７及び固着板６１から僅かな隙間Ｓ１を持って離間している。
【００４９】
しかして、回動軸受７０は、上記したスライドレール１２の空間領域１８に嵌合部７２が遊嵌されるようになっており、即ちテーブル本体１１は、背面板７と略平行の状態では回動軸受７０に対して該背面板７と平行の上下方向にスライド自在に構成され、且つボス６５を軸として上下方向に回動自在に構成されている。
【００５０】
ここで、スライドレール１２の空間領域１８から突出している回動軸受７０の突出部７３の外側面７５と、この突出部７３を挟むように位置するスライドレール１２の底板１３及び上板１５の外側面１９ａ、１９ｂとは、図５に示すように同一平面上にあり、これらの外側面１９、１９ｂ、７５はスペーサー６６と緩に接触するようになっている。
【００５１】
ここで、スペーサー６６は、その表面が摩擦抵抗の少ないフッソ樹脂等の樹脂材で形成されており、従って、スペーサー６６と回動軸受７０及びスライドレール１２とは、テーブル本体１１の回転及び直線移動をスムーズにすることが可能になる。即ちスペーサー６６は、スライドレール１２の直線移動と、スライドレール１２及び回動軸受７０の回転移動をスムーズにしながらも、テーブル本体１１とブラケット６０（支持板６２）との隙間を無くして該テーブル本体１１の横方向のガタツキを抑制する機能を有している。
【００５２】
次に、ブラケット６０と共に支持部材５０を構成するステー５１について説明する。ステー５１は、ブラケット６０と同様の金属製で形成され、図３に示すように、略「く」の字状のステー本体５３と、このステー本体５３の外側端から該ステー本体５３と直交して前方側（ブラケット６０側）に突出し、ブラケット６０の支持板６２を外側から覆うように該支持板６２と係合する側面板５４とからなっている（図５も併せて参照）。
【００５３】
ステー本体５３の略中央には、取付穴５５が貫通穿設されており、この取付穴５５には側方向からのネジ５６が挿通されて支持板６２のボス状の取付穴７４に螺着されており、つまりステー５１は、ネジ５６を軸としてブラケット６０に対して上下方向に回動自在に取り付けられている。
【００５４】
図中５７は、コイルスプリングであり、このコイルスプリング５７には上記したステー５１を回動可能に支持するネジ５６が挿通されている。コイルスプリング５７は、一端が支持板６２のボス状の取付穴７４に固着され、他端が自由端５７ａとしてネジ５６の下方に垂直状に延びており、テーブル本体１１が背面板７と略平行の不使用位置のときは、この自由端５７ａが自然な状態でステー本体５３内面に当接している。この状態でステー５１は、図５に示すように、テーブル本体１１と僅かな隙間Ｓ２を持って離間し（つまりテーブル本体１１が背面板７と略平行の不使用位置のときは、テーブル本体１１は背面板７、固着板６１及びステー５１と僅かに離間している）、上面５２がスライドレール１２と非接触でテーブル本体１１と略平行な姿勢の第２直立状態になっており、また、側面板５４は、その全体がブラケット６０の支持板６２と重なるように係合して、支持板６２の外側を覆うように位置している（図２（Ａ）、５参照）。
【００５５】
一方、テーブル本体１１が不使用位置から使用位置へ回動すると、その過程でスライドレール１２のスライド面１７とステー５１の上面５２とが当接して該上面５２が該スライド面１７を後方側に摺動し、テーブル本体１１は略水平に延在する使用位置となる。この状態でステー５１は、上面５２がスライドレール１２と接触しながら後方側に傾斜した姿勢の第１傾斜状態になっており、また、側面板５４は、前端部５４ｂがブラケット６０の支持板６２の前端部と重なるように係合すると共に、側上部５４ａがスライドレール１２の下端部と重なるように係合して、支持板６２及びスライドレール１２の外側を覆うように位置している（図２（Ｂ）参照）。
【００５６】
即ち、テーブル本体１１が不使用位置でステー５１が第２直立状態になっているときは勿論のこと、テーブル本体１１が使用位置でステー５１が第１傾斜状態になっているときでも、ステー５１の側面板５４、ブラケット６０の支持板６２及びテーブル本体１１のスライドレール１２との間には、側面視したときの三角状の空間が形成されないようになっている。このため、使用者が、テーブル本体１１を使用位置から不使用位置に移動する際に手を挟むことがない。
【００５７】
しかして、ステー５１の下端５８は、テーブル本体１１が使用位置でステー５１が第１傾斜状態のとき、ブラケット６０の固着板６１に当接してテーブル本体１１の回動を規制し、該テーブル本体１１の水平姿勢を維持するためのストッパー手段としての機能を有している。この構成により、テーブル本体１１は、背面板７と略平行の不使用位置から略水平の使用位置までの略９０度の間だけ上下方向に回動することが可能となる。
【００５８】
加えて、ステー５１の下端５８には、図２（Ｂ）、３に示すように、ネジ５９が取り付けられており、このネジ５９は、ステー５１からブラケット６０の固着板６１側にその胴体部が進退自在になっている。つまりステー５１は、ドライバーでステー５１からネジ５９の胴体部の突出量を調整することで、テーブル本体１１が使用位置でステー５１が第１傾斜状態のときの該ステー５１の傾斜角度を微妙に変更できる微調整機能を有している。
【００５９】
例えば、テーブル本体１１を上方側に僅かに回動させたいときは、ステー５１からネジ５９の胴体部の突出量を大きく（最大でネジ５９の締め付けができなくなるまで）してステー５１の第２直立状態からの傾斜角度を小さくし、逆にテーブル本体１１を下方側に僅かに回動させたいときはステー５１からネジ５９の胴体部の突出量を小さく（最小でネジ５９の胴体部の突出量を無くすまで）してステー５１の第２直立状態からの傾斜角度を大きくすればよい。このような構成によれば、テーブル本体１１の使用位置における水平姿勢を微調整することが可能となり、例えば、複数の隣接するテーブル本体１１の使用位置における水平姿勢を容易に統一することができる。
【００６０】
ここで、コイルスプリング５７は、ステー５１の上面５２がスライドレール１２のスライド面１７と当接して該上面５２が該スライド面１７を後方側に摺動すると、つまりステー５１が不使用姿勢としての第２直立状態から使用姿勢としての第１傾斜状態に移動すると、自由端５７ａがステー５１に押されてブラケット６０の固着板６１側にネジ５６を軸として回動するので、これによりコイルスプリング５７には、ステー５１を使用姿勢から元の不使用姿勢へ戻す復元力が発生する。
【００６１】
ただし、このコイルスプリング５７の復元力は、テーブル本体１１の自重による不使用位置から使用位置への回動力に比して十分小さく設定され、従って、テーブル本体１１を不使用位置から使用位置へ回動するときは、コイルスプリング５７の復元力がこの回動動作に影響することはない。一方、テーブル本体１１を使用位置から不使用位置へ回動すると、このコイルスプリング５７の復元力が有効に作用し、上面５２がスライド面１７を前方側に摺動してステー５１が使用姿勢から不使用姿勢へと回動することが可能になる。そして、上面５２がスライドレール１２と非接触となっている状態、即ちテーブル本体１１が不使用位置にある状態では、コイルスプリング５７の復元力によりステー５１をテーブル本体１１と略平行な不使用姿勢としての第２直立状態に維持することができる。
【００６２】
＜回動収納式テーブル１０の作用効果＞
次に、本発明の回動収納式テーブル１０の作用について図６を主に参照しながら説明する。図６は、回動収納式テーブル１０の状態をそれぞれ異なる段階で示す説明図である。図６（Ａ）は、テーブル本体１１が略水平に延在する使用位置の状態を示し、この状態では、スライドレール１２のスライド面１７とステー５１の上面５２とが当接しており、ステー５１は、その下端５８（ネジ５９）がブラケット６０の固着板６１に当接して最大限後方側に傾斜した姿勢の第１傾斜状態でテーブル本体１１を支持している。
【００６３】
また、ステー５１が第１傾斜状態になっているとき、ステー５１の側面板５４は、前端部５４ｂがブラケット６０の支持板６２の前端部と重なるように係合すると共に、側上部５４ａがスライドレール１２の下端部と重なるように係合して、その一部が支持板６２及びスライドレール１２の外側を覆っており、この状態では、側面板５４、支持板６２及びスライドレール１２との間に側面視したときの三角状の空間は形成されない。更に、この状態では、コイルスプリング５７の自由端５７ａがステー５１に押されて固着板６１側にネジ５６を軸として回動し、ステー５１を第１傾斜状態からテーブル本体１１が不使用位置となる第２直立状態へ戻す復元力が発生しているが、テーブル本体１１が使用位置の状態では、テーブル本体１１自体の重力の方が大きく、ステー５１が第２直立状態側へ回動することはない。
【００６４】
次に、図６（Ａ）の回動収納式テーブル１０の使用位置の状態から、使用者が矢印Ｂに示すようにテーブル本体１１の手前側を上方向に押し上げると、それに伴ってスライドレール１２内の回動軸受７０がボス６５を軸として上方向に回動し、テーブル本体１１は、図６（Ｂ）に示すように所定角度回動する。このテーブル本体１１が回動するとき、回動軸受７０及びスライドレール１２は、支持板６２に貼着されたスペーサー６６と接触しながらスムーズに回動する。なお、図６（Ｂ）は、回動収納式テーブル１０が、使用位置と不使用位置のほぼ中間の位置の状態を示している。
【００６５】
回動収納式テーブル１０が図６（Ａ）の使用位置から図６（Ｂ）の位置まで回動するとき、コイルスプリング５７の第２直立状態へ戻す復元力によってステー５１は付勢されてネジ５６を軸として回動し、下端５８（ネジ５９）が当接していたブラケット６０の固着板６１から乖離し、上面５２がスライドレール１２のスライド面１７を離間することなく摺動する。また、このとき、ステー５１の側面板５４は、支持板６２及びスライドレール１２との係合面が徐々に大きくなり、当然ながらこの状態では、側面板５４、支持板６２及びスライドレール１２との間に側面視したときの三角状の空間は形成されることはない。
【００６６】
そして、回動収納式テーブル１０が図６（Ｂ）に示す状態から、使用者が矢印Ｃに示すようにテーブル本体１１の手前側を更に上方向に押し上げると、それに伴ってスライドレール１２内の回動軸受７０がボス６５を軸として更に上方向に回動し、テーブル本体１１は、図６（Ｃ）に示すように背面板７と略平行になるまで回動する。なお、図６（Ｃ）は、テーブル本体１１が背面板７と略平行になるまで回動したときの回動収納式テーブル１０の状態を示している。また、このテーブル本体１１が回動するときにおける回動軸受７０及びスライドレール１２とスペーサー６６との係合態様は、上記と同様である。
【００６７】
回動収納式テーブル１０が図６（Ｂ）の位置から図６（Ｃ）の位置まで回動するとき、ステー５１は、上記と同様に、コイルスプリング５７の第２直立状態へ戻す復元力によって付勢されてネジ５６を軸として回動し、下端５８（ネジ５９）はブラケット６０の固着板６１から更に乖離し、上面５２がスライドレール１２のスライド面１７を離間することなく摺動するが、テーブル本体１１が背面板７と略平行になる図６（Ｃ）の位置まで回動する前の所定位置で、ステー５１は、テーブル本体１１と略平行な姿勢の第２直立状態になると、コイルスプリング５７の復元力が消滅してその回動を停止する。
【００６８】
ステー５１が第２直立状態になって回動を停止すると、以降、テーブル本体１１のみが回動するので、それに伴ってスライド面１７が上面５２から乖離し、その後テーブル本体１１が背面板７と略平行になる図６（Ｃ）の位置まで回動する。つまり、回動収納式テーブル１０が図６（Ｂ）の位置から図６（Ｃ）の位置まで回動するとき、その途中でステー５１がテーブル本体１１と略平行な姿勢の第２直立状態になった時点で、コイルスプリング５７の自由端５７ａがステー５１に押されなくなって自然な状態でステー本体５３内面に当接するようになり、これによりコイルスプリング５７の復元力が消滅してステー５１の回動が停止する。
【００６９】
そして、回動収納式テーブル１０が図６（Ｂ）の位置から図６（Ｃ）の位置まで回動するとき、上記と同様にステー５１の側面板５４は、更に支持板６２及びスライドレール１２との係合面が徐々に大きくなり、この係合面は、最終的に支持板６２の後端上部がステー本体５３内面に当接するまで大きくなる。当然ながらこの状態では、側面板５４、支持板６２及びスライドレール１２との間に側面視したときの三角状の空間は形成されることはない。また、回動収納式テーブル１０が図６（Ｃ）の位置になっている状態では、上記の図５に示したように、テーブル本体１１は背面板７、固着板６１及びステー５１との間に隙間Ｓ１、Ｓ２が形成されて僅かに離間した状態となっている。
【００７０】
次に、回動収納式テーブル１０が図６（Ｃ）に示す状態から、使用者が矢印Ｄに示すようにテーブル本体１１を落下させると、それに伴ってスライドレール１２が回動軸受７０に対して背面板７と平行に下方向にスライドし、テーブル本体１１は、図６（Ｄ）に示すように不使用位置に収納される。なお、図６（Ｄ）は、回動収納式テーブル１０が不使用位置のときの状態を示している。
【００７１】
回動収納式テーブル１０が図６（Ｃ）の位置から図６（Ｄ）の不使用位置までスライドするとき、スライドレール１２のストッパー２１が回動軸受７０に上方から衝突し、これによりテーブル本体１１は、その下方向へのスライド移動が規制され、不使用位置に収納された状態になる。また、このテーブル本体１１がスライドするとき、ステー５１は静止したままである。
【００７２】
つまり、回動収納式テーブル１０が図６（Ｃ）の位置になっている状態では、上記したようにテーブル本体１１は背面板７、固着板６１及びステー５１と僅かに離間しているので、テーブル本体１１が不使用位置に向かって下方向にスライドする際、テーブル本体１１はスムーズに移動を開始できる。従って、使用者が矢印Ｄに示すようにテーブル本体１１を不使用位置に向かって落下させるときは、摘まみ９から手を離すだけでよい。
【００７３】
なお、上記の説明では、回動収納式テーブル１０を使用位置から不使用位置にする場合について説明したが、逆に、回動収納式テーブル１０を不使用位置から使用位置にする場合には、上記と逆の手順で行うようにすればよい。簡単に説明すると、回動収納式テーブル１０が図６（Ｄ）の不使用位置で、使用者がテーブル本体１１を背面板７と平行に上方向に図６（Ｃ）の位置までスライドさせる。この際には、スライドレール１２のストッパー２０が回動軸受７０に衝突するまで、テーブル本体１１を引き上げる。
【００７４】
そして、テーブル本体１１の手前側を下方向に回動すると、テーブル本体１１は、その自重により図６（Ａ）に示す使用位置まで自然に回動し、ステー５１の下端５８（ネジ５９）がブラケット６０の固着板６１に当接することで略水平姿勢で停止する。この際、回動軸受７０及びスライドレール１２は、スペーサー６６と接触しながらスムーズに回動し、また、ステー５１は、テーブル本体１１の回動に付随し、コイルスプリング５７の付勢力に抗しながら上面５２がスライドレール１２のスライド面１７を離間することなく摺動し、第２直立状態から第１傾斜状態へと回動する。
【００７５】
次に、背面板７の後方への傾斜角度に合わせて、回動収納式テーブル１０の使用位置におけるテーブル本体１１の水平姿勢の調節機能について説明する。図７（Ａ）は、ブラケット６０の側面図である。ブラケット６０の支持板６２からテーブル本体１１側に突出して、スライドレール１２の回動軸受７０を回動自在に支持するボス６５は、背面板７の後方への傾斜角度に合わせてその取付位置が適宜上下方向に変更されるようになっている。
【００７６】
例えば、図２に示した椅子１の背凭れ６の背面に付設された背面板７の傾斜角度を基準にすると、背面板７が図７（Ｂ）に示すような鉛直状に立設される場合には、つまり背面板７が基準の傾斜角度よりも小さくなる場合（最小で背面板７が鉛直になる場合で、この場合、傾斜角度は０）には、図７（Ａ）の矢印Ｅに示すように、ボス６５の取付位置をその分上方に所定距離だけ移動する。なお、図７（Ｂ）は、鉛直状に立設された背面板７に取り付けられた回動収納式テーブル１０の使用位置のときの状態を示す側面図である。一方、図示していないが、背面板７が基準の傾斜角度よりも大きくなる場合には、図７（Ａ）の矢印Ｆに示すように、ボス６５の取付位置をその分下方に所定距離だけ移動する。
【００７７】
即ち、回動収納式テーブル１０が使用位置では、テーブル本体１１を支持するステー５１の背面板７に対する傾斜角度（第１傾斜状態における傾斜姿勢の角度）は、背面板７の傾斜角度に係らず常に一定であり、従って、背面板７が基準の傾斜角度よりも小さくなればなる程、テーブル本体１１の回動軸としてのボス６５を上方に移動して該テーブル本体１１の回動範囲を大きくし、一方、背面板７が基準の傾斜角度よりも大きくなればなる程、テーブル本体１１の回動軸としてのボス６５を下方に移動して該テーブル本体１１の回動範囲を小さくすればよい。この構成により、回動収納式テーブル１０は、種々の異なる傾斜角度の背面板７に対しても、回動収納式テーブル１０の使用位置においてテーブル本体１１を容易に水平姿勢にすることができる。
【００７８】
なお、図示していないが、スライドレール１２の長さを適宜変更することで、回動収納式テーブル１０の不使用位置におけるテーブル本体１１の収納高さを変更することもできる。つまり、スライドレール１２を短く形成すれば、即ち回動軸受７０からストッパー２１までの距離が短い程テーブル本体１１の収納高さを高くでき、一方、スライドレール１２を長く形成すれば、即ち回動軸受７０からストッパー２１までの距離が長い程テーブル本体１１の収納高さを低くすることができる。この構成により、回動収納式テーブル１０の不使用位置におけるテーブル本体１１の収納高さを、状況に合わせて所望の位置に容易に設定することが可能となる。
【００７９】
以上の説明から明らかなように、本発明の回動収納式テーブル１０は、テーブル本体１１とステー５１とは接続されておらず、テーブル本体１１を使用位置から不使用位置に回動するとき、ステー５１は、第１傾斜状態からスライドレール１２下側のスライド面１７を摺動しながら第２直立状態に回動するようになっている。しかも、このステー５１の回動は、テーブル本体１１の回動力とは無関係のコイルスプリング５７の付勢力により行われるので、従って、仮にテーブル本体１１とステー５１とが当接している摺動面（スライド面１７）に手があったとしても、ステー５１の回動は停止され、テーブル本体１１のみが単独で回動するだけなので、即ちテーブル本体１１の回動とステー５１の回動とは連動しないので、その結果、手をステー５１とテーブル本体１１の間に挟み込んで怪我をするおそれがない。
【００８０】
更に、ブラケット６０の支持板６２に回動可能に支持されたステー５１は、側面板５４を有しており、この側面板５４は、テーブル本体１１が使用位置にあってステー５１が第１傾斜状態になっている場合であっても、支持板６２及びスライドレール１２の外側を覆うようにブラケット６０及びテーブル本体１１と係合するので、これにより、従来のようなステー５１、テーブル本体１１及び支持板６２（ブラケット６０）を３辺とする略直角三角形状の手挟み空間は形成されることがなく、その結果、更に回動収納式テーブル１０における手挟みを防止して安全性を高めることができる。
【００８１】
即ち、本発明の回動収納式テーブル１０は、テーブル本体１１の側部や背面等を覆うことのない、回動収納機構を構成するステー５１等が露出した簡易型でありながらも、極めて安全性の高い構成であり、テーブル本体１１を使用位置から不使用位置に移動する際、手を挟んで怪我をしてしまうことを防止できるという顕著な効果を奏する。
【００８２】
また、スペーサー６６により、テーブル本体１１とブラケット６０（支持板６２）との隙間を無くしているので、テーブル８の横幅を限られた領域内で極力大きく形成することができると共に、テーブル本体１１の横方向のガタツキを抑制することができる。更に、テーブル本体１１が下方向にスライドする際、ストッパー２１はゴムや樹脂等の緩衝材からなっているので、ストッパー２１と回動軸受７０との衝突の際の衝撃を緩衝し、衝突音等を低減することもできる。
【００８３】
また、テーブル本体１１は、不使用位置の状態で背面板７（固着板６１）とステー５１との間に位置して該背面板７（固着板６１）及びステー５１と僅かに離間しているので、テーブル本体１１の上下方向のスライド移動をスムーズにしながらも、不使用位置における回動収納式テーブル１０の後方側への出っ張りを極力少なくすることができる。また、スライドレール１２の底板１３下面をステー５１の上面５２が摺動するスライド面１７としたので、つまりスライド面１７をスライドレール１２に一体的に形成したので、回動収納式テーブル１０の部品点数を減らすこともできる。
【００８４】
また、ボス６５の取付位置が適宜上下方向に変更するだけで、背面板７の後方への傾斜角度に合わせて、回動収納式テーブル１０の使用位置におけるテーブル本体１１の姿勢を容易に水平に調節でき、また、スライドレール１２の長さを適宜変更するだけで、回動収納式テーブル１０の不使用位置におけるテーブル本体１１の収納高さを容易に変更でき、更に、ネジ５９を回動調節するだけで、回動収納式テーブル１０の使用位置におけるテーブル本体１１の水平姿勢を微調整して統一することもできる。即ち、本発明の回動収納式テーブル１０は、コンパクトな構成でありながらも極めて安全性が高く使い勝手がよいという顕著な効果を奏する。
【００８５】
以上、本発明の実施形態に係わる回動収納式テーブル１０を図面に基づいて説明してきたが、具体的な構成は実施形態に示したものに限定されるものではなく、本発明の要旨を逸脱しない範囲における変更や追加などがあっても本発明に含まれる。
【符号の説明】
【００８６】
１…椅子、  ４…脚体、
５…座部、  ６…背凭れ、
７…背面板、  ８…テーブル、
９…摘まみ、  １０…回動収納式テーブル、
１１…テーブル本体、  １２…スライドレール、
１３、２４…底板、  １４…縦板、
１５、２３…上板、  １６…突起部、
１７…スライド面、  １８…空間領域、
１９ａ、１９ｂ、７５…外側面、  ２０、２１…ストッパー、
２２、２７…蓋部、  ２５、２９、３１、５６、５９、６４…ネジ、
２６…胴体部、
２８、３０ａ、３０ｂ、３０ｃ、５５、６３ａ、６３ｂ、６７、７１、７４…取付穴、
５０…支持部材、  ５１…ステー、
５２…上面、  ５３…ステー本体、
５４…側面板、  ５４ａ…側上部、
５４ｂ…前端部、  ５７…コイルスプリング、
５７ａ…自由端、  ５８…下端、
６０…ブラケット、  ６１…固着板、
６２…支持板、  ６５…ボス、
６６…スペーサー、  ７０…回動軸受、
７２…嵌合部、  ７３…突出部。
【図１】
2014104117.tif 000003
【図２】
2014104117.tif 000004
【図３】
2014104117.tif 000005
【図４】
2014104117.tif 000006
【図５】
2014104117.tif 000007
【図６】
2014104117.tif 000008
【図７】
2014104117.tif 000009